(57)【要約】【課題】無指向性を持った良好な点音源が得られる電気音響変換器を提供する。【解決手段】正五角形の振動板１２を複数個結合して略球殻状に多面状多角形振動板１１を形成し、この多面状多角形振動板１１の内部に各振動板１２と対向して各スピーカ駆動ユニット２０Ａを複数配置すると共に、各スピーカ駆動ユニット２ＯＡの各ボビンの一端部を各振動板１２の内面の中心部位に接着して電気音響変換器１０Ａを構成した際に、板材を用いて振動板１２の多角形と同じ角数に形成した多角形面３１ａを複数結合して多面状多角形振動板１１の外面と略相似の外面形状を有して内部が中空状に組み立てられた多面状フレーム組立体３１の各多角形面３１ａに各スピーカ駆動ユニット２０Ａを各振動板１２の内面の中心部位に向かって取り付けて、この多面状フレーム組立体３１を多面状多角形振動板１１の内部に収納して構成した電気音響変換器１０Ａを提供する。【選択図】図３
2006311349.tif 000002
【特許請求の範囲】
【請求項１】
多角形の振動板を複数個結合して略球殻状に形成して成る多面状多角形振動板と、
前記多面状多角形振動板の内部に、前記振動板のそれぞれと対向して配置された複数のスピーカ駆動ユニットと、を備え、
各前記振動板の内面の中心部位に各前記スピーカ駆動ユニットのボビンの一端部が接着されて成る電気音響変換器であって、
板材を用いて前記多角形と同じ角数に形成した多角形面を複数結合して前記多面状多角形振動板の外面と略相似の外面形状を有して内部が中空状に組み立てられ、且つ、各前記多角形面に各前記スピーカ駆動ユニットが各前記振動板の内面の中心部位に向かって取り付けられた状態で前記多面状多角形振動板内に収納される多面状フレーム組立体を備えたことを特徴とする電気音響変換器。
【請求項２】
前記多面状フレーム組立体は、この外部とこの内部との間で空気を流通させるための空気流通用孔を有することを特徴とする請求項１記載の電気音響変換器。
【請求項３】
多角形の振動板を複数個結合して略球殻状に形成して成る多面状多角形振動板と、
前記多面状多角形振動板の内部に、前記振動板のそれぞれと対向して配置された複数のスピーカ駆動ユニットと、を備え、
各前記振動板の内面の中心部位に各前記スピーカ駆動ユニットのボビンの一端部が接着されて成る電気音響変換器であって、
複数の前記振動板の内面の中心部位にその振動板と略直交するようにそれぞれ対向して放射状に配置された複数本のシャフトの各一端部を結合して組み立てられ、且つ、複数本の前記シャフトの各他端部に各前記スピーカ駆動ユニットが各前記振動板の内面の中心部位に向かって取り付けられた状態で前記多面状多角形振動板内に収納される放射状シャフト組立体を備えたことを特徴とする電気音響変換器。
【発明の詳細な説明】
【技術分野】
【０００１】
本発明は、多角形の振動板を複数個結合して略球殻状に多面状多角形振動板を形成し、この多面状多角形振動板の内部に各振動板と対向して各スピーカ駆動ユニットを複数配置すると共に、各スピーカ駆動ユニットの各ボビンの一端部を各振動板の内面の中心部位に接着して電気音響変換器を構成した際に、板材を用いて振動板の多角形と同じ角数に形成した多角形面を複数結合して多面状多角形振動板の外面と略相似の外面形状を有して内部が中空状に組み立てられた多面状フレーム組立体の各多角形面、又は、複数の振動板の内面の中心部位にその振動板と略直交するようにそれぞれ対向して放射状に配置された複数本のシャフトの各一端部を結合して組み立てられた放射状シャフト組立体の各シャフトの他端部に、各スピーカ駆動ユニットを各振動板の内面の中心部位に向かって取り付けて、この多面状フレーム組立体又は放射状シャフト組立体を多面状多角形振動板の内部に収納して構成した電気音響変換器に関するものである。
【背景技術】
【０００２】
音声信号を拡声するための電気音響変換器（スピーカ）は、各種の構造形態があるものの、この種の電気音響変換器の一例として呼吸球に近い状態で振動する再生音を人の聴覚に与える点音源・無指向性・スピーカシステムがある（例えば、特許文献１参照）。
【０００３】
尚、上記した呼吸球とは、無指向性スピーカの理想とされる発音体であり、例えば、風船がふくらんだり、しぼんだりして振動する運動と同じく、あらゆる方向に略同じ音圧を発生して完全無指向性が得られるもので、あたかも球が呼吸しているのに似ていることから呼吸球と名づけられたものである。
【特許文献１】特開平９−７００９２号公報。
【０００４】
図２０は従来の点音源・無指向性・スピーカシステムの一例を示した斜視図、
図２１は従来の点音源・無指向性・スピーカシステムの一例を示したブロック図、
図２２従来の点音源・無指向性・スピーカシステムに使用したスピーカユニットにおける周波数レスポンスのピークとディップの例を摸式的に示した特性図である。
【０００５】
図２０及び図２１に示した従来の点音源・無指向性・スピーカシステム１００は、上記した特許文献１（特開平９−７００９２号公報）に開示されているものであり、ここでは特許文献１を参照して簡略に説明する。
【０００６】
図２０に示した如く、従来の点音源・無指向性・スピーカシステム１００では、剛性を持った中空球面状のエンクロージャ１０１が、その外周面上に五角形で形成される１２個の第１面１０１ａと、六角形で形成される２０個の第２面１０１ｂとで合計３２面からなる多面体に形成されている。尚、上記したエンクロージャ１０１は、スピーカキャビネット、或いは、スピーカボックスに相当するものである。
【０００７】
この際、エンクロージャ１０１の各第１面１０１ａ及び各第２面１０１ｂにフルレンジのスピーカユニット１０２をそれぞれ取り付けている例が図２０に示した如く開示されている。
【０００８】
また、上記の例とは異なって、図２１に示したように、エンクロージャ１０１の各第１面１０１ａに低音域用のスピーカユニット１０３をそれぞれ取り付け、且つ、各第２面１０１ｂに高音域用のスピーカユニット１０４をそれぞれ取り付ける例も開示されている。
【０００９】
更に、図２１中において、１１０はデジタル入力信号、１１１はデジタル・シグナル・プロセッサ（ＤＳＰ）、１１２はＤＳＰ１１１に付設した操作パネル、１１３はＤ／Ａコンバータ、１１４はアナログ・アッテネータ、１１５はパワーアンプであり、デジタル入力信号１１０はＤＳＰ１１１，Ｄ／Ａコンバータ１１３，アナログ・アッテネータ１１４，パワーアンプ１１５を順に通って各スピーカユニット１０２又は各スピーカユニット１０３，１０４に供給されている。
【００１０】
ここで、エンクロージャ１０１の３２面からなる多面体に、フルレンジのスピーカユニット１０２、又は、低音域用のスピーカユニット１０３及び高音域用のスピーカユニット１０４をそれぞれ配置したスピーカ体は、これをそのまま駆動した場合に、図２２に摸式的に示したように、周波数レスポンスにピークＰとディップＤが生じるために、前記の各スピーカユニット１０２又は各スピーカユニット１０３，１０４の駆動信号に対して図２１中に示したＤＳＰ１１１によりディップＤへの逆特性のフィルタリングを行い、この後、Ｄ／Ａコンバータ１１３によりデシタル信号をアナログ信号に変換して、アナログ・アッテネータ１１４，パワーアンプ１１５を順に介して各スピーカユニット１０２又は各スピーカユニット１０３，１０４に供給されている旨が開示されている。
【発明の開示】
【発明が解決しようとする課題】
【００１１】
ところで、上記した従来の点音源・無指向性・スピーカシステム１００では、前述したように、エンクロージャ１０１の３２面からなる多面体に、フルレンジのスピーカユニット１０２、又は、低音域用のスピーカユニット１０３及び高音域用のスピーカユニット１０４をそれぞれ配置しているものの、前記の各スピーカユニット１０２又は各スピーカユニット１０３，１０４に一体的に取り付けられた各自固有の振動板（図示せず）をそれぞれ振動させて各再生音を得ていることは明らかである。
【００１２】
この場合に、隣り合うスピーカユニット間には振動板が介在せずに、剛性を持ったエンクロージャ１０１の一部が介在しているために、前記の各スピーカユニット１０２又は各スピーカユニット１０３，１０４からの各再生音を合成した合成再生音は良好な点音源として得られない場合が起こり得る。
【００１３】
また、図２２を用いて前述したように、前記の各スピーカユニット１０２又は各スピーカユニット１０３，１０４により得られる各再生音の周波数レスポンスにおいて生じるディップＤに対してＤＳＰ１１１により逆補正しているものの、このディップＤそのものの発生をスピーカユニットの構造形態により極力低減できれば、ＤＳＰ１１１による逆補正も低減できることは明らかである。
【００１４】
そこで、呼吸球として無指向性を持った良好な点音源が得られ、且つ、複数のスピーカにより得られる各再生音の周波数レスポンスにおいて生じるディップも低減できる電気音響変換器が望まれている。
【課題を解決するための手段】
【００１５】
本発明は上記課題に鑑みてなされたものであり、請求項１記載の発明は、多角形の振動板を複数個結合して略球殻状に形成して成る多面状多角形振動板と、
前記多面状多角形振動板の内部に、前記振動板のそれぞれと対向して配置された複数のスピーカ駆動ユニットと、を備え、
各前記振動板の内面の中心部位に各前記スピーカ駆動ユニットのボビンの一端部が接着されて成る電気音響変換器であって、
板材を用いて前記多角形と同じ角数に形成した多角形面を複数結合して前記多面状多角形振動板の外面と略相似の外面形状を有して内部が中空状に組み立てられ、且つ、各前記多角形面に各前記スピーカ駆動ユニットが各前記振動板の内面の中心部位に向かって取り付けられた状態で前記多面状多角形振動板内に収納される多面状フレーム組立体を備えたことを特徴とする電気音響変換器である。
【００１６】
また、請求項２記載の発明は、請求項１記載の電気音響変換器において、
前記多面状フレーム組立体は、この外部とこの内部との間で空気を流通させるための空気流通用孔を有することを特徴とする電気音響変換器である。
【００１７】
更に、請求項３記載の発明は、多角形の振動板を複数個結合して略球殻状に形成して成る多面状多角形振動板と、
前記多面状多角形振動板の内部に、前記振動板のそれぞれと対向して配置された複数のスピーカ駆動ユニットと、を備え、
各前記振動板の内面の中心部位に各前記スピーカ駆動ユニットのボビンの一端部が接着されて成る電気音響変換器であって、
複数の前記振動板の内面の中心部位にその振動板と略直交するようにそれぞれ対向して放射状に配置された複数本のシャフトの各一端部を結合して組み立てられ、且つ、複数本の前記シャフトの各他端部に各前記スピーカ駆動ユニットが各前記振動板の内面の中心部位に向かって取り付けられた状態で前記多面状多角形振動板内に収納される放射状シャフト組立体を備えたことを特徴とする電気音響変換器である。
【発明の効果】
【００１８】
請求項１記載の電気音響変換器によれば、多角形の振動板を複数個結合して略球殻状に多面状多角形振動板を形成し、この多面状多角形振動板の内部に各振動板と対向して各スピーカ駆動ユニットを複数配置すると共に、各スピーカ駆動ユニットの各ボビンの一端部を各振動板の内面の中心部位に接着して電気音響変換器を構成した際に、板材を用いて振動板の多角形と同じ角数に形成した多角形面を複数結合して多面状多角形振動板の外面と略相似の外面形状を有して内部が中空状に組み立てられた多面状フレーム組立体の各多角形面に各スピーカ駆動ユニットを各振動板の内面の中心部位に向かって取り付けて、この多面状フレーム組立体を多面状多角形振動板の内部に収納したため、多面状多角形振動板により呼吸球として無指向性を持った良好な点音源が得られ、且つ、各振動板の振動により得られる各再生音の周波数レスポンスにおいて生じるディップも低減できる。更に、複数のスピーカ駆動ユニットを支持するための多面状フレーム組立体が板材を用いて内部を中空状に形成されているために、電気音響変換器の軽量化を図ることができる。
【００１９】
また、請求項２記載の電気音響変換器によれば、多面状フレーム組立体は、この外部とこの内部との間で空気を流通させるための空気流通用孔を有しているので、この空気流通用孔を通して多面状振動板と多面状フレーム組立体との間の空気が多面状フレーム組立体内に流れ込むことができ、この多面状フレーム組立体内での空気容量の増加に伴ってより低い周波数側に低域の共振周波数ｆｏがシフトするために特に低音域において良好な音響特性が得られる。
【００２０】
更に、請求項３記載の電気音響変換器によれば、多角形の振動板を複数個結合して略球殻状に多面状多角形振動板を形成し、この多面状多角形振動板の内部に各振動板と対向して各スピーカ駆動ユニットを複数配置すると共に、各スピーカ駆動ユニットの各ボビンの一端部を各振動板の内面の中心部位に接着して電気音響変換器を構成した際に、複数の振動板の内面の中心部位にその振動板と略直交するようにそれぞれ対向して放射状に配置された複数本のシャフトの各一端部を結合して組み立てられた放射状シャフト組立体の各シャフトの他端部に各スピーカ駆動ユニットを各振動板の内面の中心部位に向かって取り付けて、この放射状シャフト組立体を多面状多角形振動板の内部に収納したため、請求項１記載と同様に、多面状多角形振動板により呼吸球として無指向性を持った良好な点音源が得られ、且つ、各振動板の振動により得られる各再生音の周波数レスポンスにおいて生じるディップも低減できる。
【発明を実施するための最良の形態】
【００２１】
以下に本発明に係る電気音響変換器の一実施例について図１〜図１９を参照して実施例１，実施例２の順に詳細に説明する。
【００２２】
本発明に係る電気音響変換器では、多角形の振動板を複数個結合して略球殻状に多面状多角形振動板を形成し、この多面状多角形振動板の内部に各振動板と対向して各スピーカ駆動ユニットを３次元的に放射状に複数配置したものである。
【００２３】
この際、後述する実施例１，２では、一つの多面状多角形振動板を作製する際に、多角形の振動板を複数個に亘って平面的に展開し、この後、複数個の振動板を略球殻状に結合する方法を採用したものであり、複数個の振動板と対向して配置した複数のスピーカ駆動ユニットは振動板なしの状態でユニット化されているものである。
【００２４】
一方、後述する実施例１，２をそれぞれ一部変形させた各変形例では、一つの多面状多角形振動板を作製する際に、一個づつ予め切り離された多角形の振動板を一つのスピーカ駆動ユニットに取り付けて振動板付きスピーカニットを構成し、この後、複数の振動板付きスピーカユニットを３次元的に放射状に組み立てる時に、複数の振動板を略球殻状に結合する方法を採用したものである。
【００２５】
尚、以下の実施例１，２及び実施例１，２をそれぞれ一部変形させた各変形例では、多角形の振動板として正五角形に形成した一例を示し、この正五角形の振動板を複数個（例えば１１個）結合して略球殻状に形成した時に、一つの多面状多角形振動板は１１面を有して形成される場合について説明するが、多角形の振動板の角数は上記した五角形に限られるものでもなく、適宜な角数の振動板により適宜な面数による多面状多角形振動板を得ることも可能である。
【００２６】
更に、以下の実施例１及び実施例１を一部変形させた変形例では、多角形面を複数結合して多面状多角形振動板の外面と略相似に形成された状態で多面状多角形振動板内に収納される多面状フレーム組立体も板材を用いて形成した正五角形面を複数結合した例で説明するが、多面状フレーム組立体の各多角形面は振動板の多角形と同じ角数であれば良く、また、多面状フレーム組立体の各多角形面による面数は多面状多角形振動板の面数と同じであれば良い。
【実施例１】
【００２７】
図１は本発明に係る実施例１の電気音響変換器の外観形状を正面側から見た斜視図、
図２は本発明に係る実施例１の電気音響変換器の外観形状を底面側から見た斜視図、
図３は本発明に係る実施例１の電気音響変換器の概略構成を摸式的に示した斜視図である。
【００２８】
図１及び図２示した如く、本発明に係る実施例１の電気音響変換器１０Ａは、一つの多面状多角形振動板１１を用いることで呼吸球に近い無指向性の点音源が得られるように構成されている。
【００２９】
即ち、この実施例１では、樹脂シート材などを用いて正五角形に形成した振動板１２を１１個結合して内部を覆うよう略球殻状に一つの多面状多角形振動板（以下、多面状五角形振動板と記す）１１を形成し、且つ、この多面状五角形振動板１１の底面となる部位に剛性を持った正五角形の台座１３を結合して合計１２面からなる外側多面体（１２面体）を得ている。
【００３０】
この際、隣り合う正五角形の振動板１２同士を結合すると共に、底面となる正五角形の台座１３を隣り合う正五角形の振動板１２に結合する時には、結合が必要な正五角形の各辺にゴム材などを用いた可撓性を有するエッジ部材１４を取り付けて結合している。
【００３１】
また、図２に示したように、正五角形の台座１３の中心部位には貫通孔１３ａが穿設されており、この貫通孔１３ａ内に配線用兼支持用のパイプ部材１５の一端側が進入しており、台座１３の貫通孔１３ａとパイプ部材１５の一端側の外周面との間に接着剤を充填することで、正五角形の台座１３がパイプ部材１５の一端側に支持されると共に、合計１２面からなる外側多面体中で１１面からなる多面状五角形振動板１１は正五角形の台座１３の各辺に各エッジ部材１４を介して支持されることになる。
【００３２】
また、図３に示した如く、略球殻状に１１面を有して形成された一つの多面状五角形振動板１１の内部には、１１個設けられた振動板１２の内面の中心部位に向かってスピーカ駆動ユニット２０Ａが３次元的に放射状に１１個配置されている。
【００３３】
そして、１１個のスピーカ駆動ユニット２０Ａは、多面状五角形振動板１１の外面と略相似に形成された多面状フレーム組立体３１の各多角形面３１ａに取り付けられている。この際、後述するように、スピーカ取付用となる多面状フレーム組立体３１は、非磁性を有する板材を用いて振動板１２の多角形と同じ角数で形成した多角形面（以下、正五角形面と記す）３１ａを複数結合し且つ内部を中空状に形成して合計１２面の内側多面体（１２面体）として得ている。
【００３４】
これにより、１１個の振動板１２と台座１３とによる１２面の外側多面体の内側に、１１個のスピーカ駆動ユニット２０Ａをそれぞれ取り付けた多面状フレーム組立体３１の１１個の正五角形面３１ａと底面用の一つの正五角形面（３１ａ）とによる合計１２面の内側多面体が上記した外側多面体に対して略相似の状態で収納されることになる。
【００３５】
この際、図２に示した台座１３の貫通孔１３ａ内に進入した配線用兼支持用のパイプ部材１５の一端は、多面状フレーム組立体３１の底面となる一つの正五角形面（３１ａ）に固着されて、１１個のスピーカ駆動ユニット２０Ａの配線用ワイヤがパイプ部材１５内に挿通されている。
【００３６】
ここで、本発明に係る実施例１の電気音響変換器１０Ａの構造について図４〜図７を用いて詳述する。
【００３７】
図４は本発明に係る実施例１の電気音響変換器において、一つの多面状五角形振動板を平面的に展開して示した平面図、
図５は図４に示した一つの多面状五角形振動板の一部を構成する正五角形の振動板を拡大して示した斜視図、
図６は本発明に係る実施例１の電気音響変換器において、隣り合うスピーカ駆動ユニットを組み立てた状態を拡大して示した縦断面図、
図７は図６に示した多面状フレーム組立体を示した斜視図である。
【００３８】
まず、図４に示した如く、本発明に係る実施例１の電気音響変換器１０Ａに用いられる一つの多面状五角形振動板１１は、樹脂シート材などを用いて正五角形に形成した振動板１２を１１個に亘って平面的に展開した状態で予め形成されている。ここでは、一つの多面状五角形振動板１１に用いられる樹脂シート材の一例として、振動特性が良好な発泡ポリプロピレンシート材が適用されている。
【００３９】
また、一つの多面状五角形振動板１１中で図示中央部に位置する正五角形の振動板１２を天面用として用いた時に、この天面用の振動板１２の各辺（５辺）に上側面用の振動板１２がそれぞれ連接して合計５個形成され、且つ、合計５個の上側面用の振動板１２に下側面用の振動板１２がそれぞれ連接して合計５個形成されている。この際、振動板１２同士が接続している部位はエッジ部が予め形成されているものの、振動板１２同士が切り離されている部位は、略球殻状に結合する際に図１及び図２に示したエッジ部材１４を用いて結合されている。
【００４０】
ここで、一つの多面状五角形振動板１１（図１〜図４）の一部を構成する正五角形の振動板１２を図５に拡大して示すと、正五角形の振動板１２はこの中心軸Ｏを中心にして凹球面状の凹球面部１２ａが上方に向かって僅かな高さで突出形成され、この凹球面部１２ａを囲むように凸状リング部１２ｂが同心でリング状に突出形成されており、この凸状リング部１２ｂの内周面に沿って後述するスピーカ駆動ユニット２０Ａのボビン２４（図６）の一端部が接着されるようになっているので、正五角形の振動板１２の中心軸Ｏはスピーカ駆動ユニット２０Ａのボビン２４の中心軸Ｏ（図６）と同心である。
【００４１】
尚、実施例１では、正五角形の振動板１２の中心部位に凹球面部１２ａが形成されているが、この凹球面部１２ａに代えて平坦な円面部又は僅かに凸状に突出した凸球面部であっても良い。
【００４２】
更に、振動板１２の凸状リング部１２ｂの外周に連接して傾斜面部１２ｃが振動板１２の中心軸Ｏに対して偏心量Ｈだけ偏って中心軸ＯＨを中心になだらかな傾斜で外周側の平坦面部１２ｅに向かって錐状に形成されている。そして、振動板１２の傾斜面部１２ｃと平坦面部１２ｅとが交わる境界部位に上記した中心軸ＯＨを中心にして凸状リング部１２ｂに対して偏心量Ｈだけ偏った大径円１２ｄの軌跡が得られている。これを言い換えると、振動板１２上で偏心した大径円１２ｄの外周から振動板１２の中心部位に設けた凸状リング部１２ｂに向かって傾斜面部１２ｃが形成されていることになる。
【００４３】
ここで、振動板１２の傾斜面部１２ｃの傾斜形状を分かりやすく図示するために仮想線で図示しており、図示右側の仮想線の長さは短く傾斜が急であるが、図示左側の仮想線の長さは長く傾斜がゆるくなっている。尚、傾斜部１２の外周側の大径円１２ｄは真円に限定されず、楕円であっても良い。
【００４４】
この際、振動板１２上で得られる傾斜面部１２ｃ及び大径円１２ｄの偏心量Ｈは無しでも良いけれど、この偏心量Ｈと大径円１２ｄの径は正五角形の振動板１２の外形サイズに応じて決めれば良いものであり、後述するように偏心量Ｈが大きくなれば音響特性が良好に得られる。
【００４５】
また、正五角形に形成された振動板１２上で得られる傾斜面部１２ｃ及び大径円１２ｄの偏心方向は、振動板１２が１個だけの場合について言えば、正五角形の一つの頂角側に偏心させれば音響特性が良好となる。
【００４６】
更に、正五角形に形成された振動板１２上で得られる傾斜面部１２ｃ及び大径円１２ｄの偏心方向は、振動板１２を略球殻状に１１個結合した場合について言えば、先に図４で示した天面用の振動板１２に対しては適宜な方向でかまわないものの、５個の上側面用の振動板１２に対しては５個の下側面用の振動板１２に向かう方向に偏心させる一方、５個の下側面用の振動板１２に対しては５個の上側面用の振動板１２に向かう方向に偏心させることで、上側面用の振動板１２の傾斜面部１２ｃ及び大径円１２ｄと下側面用の振動板１２の傾斜面部１２ｃ及び大径円１２ｄとが上下対称に偏心されているために、各振動板１２により得られる各再生音の周波数レスポンスにおいて生じるディップＤ（図１０）の発生が減少され、より良好な音響特性が得られる。
【００４７】
次に、図６に拡大して示した如く、一つの振動板１２と対向してこの振動板１２を振動させるためのスピーカ駆動ユニット２０Ａは、中心軸Ｏを中心にして下記する各構成部材が同心的に組み立てられている。この際、先に説明した振動板１２はスピーカ駆動ユニット２０Ａを組み立てた後に振動板１２の内面の中心部位に下記するボビン２４の一端部２４ａが接着されるので、前述したように実施例１で用いられるスピーカ駆動ユニット２０Ａは振動板なしの状態でユニット化されたものである。
【００４８】
上記したスピーカ駆動ユニット２０Ａの各構成部材は、軟磁性材を用いて内部を円形凹状に肉抜きした円形凹部２１ａと、この円形凹部２１ａの外壁となるリング状外壁部２１ｂとを同心的に形成したヨーク２１と、
ヨーク２１の円形凹部２１ａ内に中心軸Ｏを中心にして接着剤などを用いて同心的に固着され且つ円形凹部２１ａ内で外周面２２ａとの間にリング状隙間Ｓを持って配置される円筒状のマグネット２２と、
円筒状のマグネット２２上に中心軸Ｏを中心にして接着剤などを用いて同心的に固着され且つマグネット２２の外周面２２ａの径と略同径の外周面２３ａが形成された円筒状のポールピース２３と、
非磁性を有する樹脂材を用いて長尺で円環状に形成され且つスピーカ駆動ユニット２０Ａを組み立てた後に一端部２４ａが振動板１２の中心軸Ｏを中心にして形成した凸状リング部１２ｂの内周面に沿って接着剤を用いて接着されると共に他端部２４ｂ側の内周面２４ｃ内にポールピース２３の外周面２３ａがごく僅かな隙間を隔てて摺動可能に嵌合されるボビン２４と、
ボビン２４の他端部２４ｂ側の外周面２４ｄに接着剤を用いて固着され且つ円形凹部２１ａ内のリング状隙間Ｓに挿入されてポールピース２３の外周面２３ａとヨーク２１のリング状外壁部２１ｂとに対向しながら磁気回路による駆動電流を発生させるリング状のボイスコイル２５と、
非磁性を有する樹脂材を用いて外周側面部２６ａが円筒状に形成され且つ中心軸Ｏを中心にして内部下方部位に肉抜きして形成した下方円形凹部２６ｂ内にヨーク２１のリング状外壁部２１ｂが接着剤を用いて固着され且つ下方円形凹部２６ｂの上方にボビン２４が進入する貫通孔２６ｃ及び上方円形凹部２６ｄが同心的に形成されたスピーカハウジング２６と、
ポリイミドなどを用いて薄い厚みでリング状に形成され且つ内周部がボビン２４の軸方向の中間部位に位置する外周面２４ｄに接着剤を用いて固着されると共に外周部がスピーカハウジング２６の上方に形成した上方円形凹部２６ｄの外周面上に接着剤を用いて固着されて中心軸方向に揺動自在な第１のサスペンション２７と、
樹脂材を用いて所定の厚みを持ってリング状に形成され且つスピーカハウジング２６の上面２６ｅ上に接着剤を用いて固着されるリング状スペーサ２８と、
上記した第１のサスペンション２７と同様に形成されてこの第１のサスペンション２７よりも上方に位置して内周部がボビン２４の外周面２４ｄに接着剤を用いて固着されると共に外周部が所定の厚みを持ったリング状スペーサ２８上に接着剤を用いて固着されて中心軸方向に揺動自在な第２のサスペンション２９と、
から構成されている。
【００４９】
尚、この実施例１では、ボイスコイル２５の引き出し線２５ａをスピーカハウジング２６の外周側面部２６ａ側から外部に引き出している。
【００５０】
上記のように各構成部材により構成された一つのスピーカ駆動ユニット２０Ａにおいて、ヨーク２１と、マグネット２２と、ポールピース２３とでボビン２４の外周面２４ｄに固着したボイスコイル２５への磁気回路を形成し、外部からボイスコイル２５に駆動電流を供給すると、上記した磁気回路によりボビン２４が第１，第２のサスペンション２７，２９に揺動自在に支持されながら中心軸方向に上下動するので、このボビン２４の一端部２４ａに接着された振動板１２が振動して再生音を得るものである。そして、合計で１１個のスピーカ駆動ユニット２０Ａを駆動すると、多面状五角形振動板１１を構成する１１個の振動板１２が振動して合成再生音が得られるようになっている。
【００５１】
従って、スピーカハウジング２６内に取り付けられる磁気回路構成部材は、ヨーク２１と、マグネット２２と、ポールピース２３とで構成されている。
【００５２】
ここで、一つの多面状五角形振動板１１（図１〜図３）内に１１個のスピーカ駆動ユニット２０Ａを放射状に支持する場合に、スピーカ取付用の多面状フレーム組立体３１について図７を用いて説明する。
【００５３】
図７に示した如く、上記したスピーカ取付用の多面状フレーム組立体３１は、実施例１の要部を構成する部材であり、アルミ板，真鍮板，樹脂板などの非磁性を有する板材を用いて正五角形の振動板１２と同じ角数に形成された正五角形面３１ａを１２面に亘って折り曲げと溶接又は接着などにより結合することにより、外面となる各正五角形面３１ａが多面状五角形振動板１１（図１〜図３）の外面と略相似な外面形状を有して内部が中空状に形成されている。
【００５４】
この際、多面状フレーム組立体３１に形成した各正五角形面３１ａの中心部位には、各スピーカ駆動ユニット２０Ａの一部を構成する各ヨーク２１を位置決めして固着させるための位置決め用孔３１ａ１がそれぞれ貫通して穿設されている。
【００５５】
そして、図６に示したように、多面状フレーム組立体３１の各正五角形面３１ａに貫通して穿設した各位置決め用孔３１ａ１内に各ヨーク２１の底面部２１ｃを挿入すると共に、各位置決め用孔３１ａ１の外周近辺に接着剤を充填して各スピーカハウジング２６の底面２６ｆを各正五角形面３１ａ上に接着することで、各正五角形面３１ａに各スピーカ駆動ユニット２０Ａが多面状五角形振動板１１の各振動板１２の内面の中心部位に向かって取り付けられるようになっている。
【００５６】
また、図６及び図７に示した如く、多面状フレーム組立体３１中で各正五角形面３１ａが結合した各頂点部位には、空気流通用孔３１ａ２がそれぞれ貫通して穿設されており、これらの各空気流通用孔３１ａ２を通して多面状振動板１１と多面状フレーム組立体３１との間の空気が多面状フレーム組立体３１内に流れ込むことができるので、多面状フレーム組立体３１内での空気容量の増加に伴ってより低い周波数側に低域の共振周波数ｆｏがシフトするために特に低音域において良好な音響特性が得られる。
【００５７】
尚、この実施例１では、多面状フレーム組立体３１に形成した各空気流通用孔３１ａ２は、多面状フレーム組立体３１の各頂角部位に形成した例を提示したが、これに限ることなく、空気流通用孔を多面状フレーム組立体３１の適宜な位置に少なくとも一つ以上形成しておけば良いものである。
【００５８】
そして、実施例１の電気音響変換器１０Ａを実際に組み立てる場合には、図６及び図７に示したように、一つのスピーカハウジング２６をベースにして、このスピーカハウジング２６の外周側面部２６ａの内側に、スピーカ駆動ユニット２０Ａを構成する各構成部材としてヨーク２１と、マグネット２２と、ボールピース２３と、ボイスコイル２５を固着させたボビン２４と、第１のサスペンション２７と、スペーサ２８と、第２のサスペンション２９とを上記順で組み立ててスピーカ駆動ユニット２０Ａを得た後、１１個のスピーカ駆動ユニット２０Ａを多面状フレーム組立体３１の外面を形成する１１個の正五角形面３１ａにそれぞれ取り付けると共に、多面状フレーム組立体３１の底面となる一つの正五角形面（３１ａ）に配線用兼支持用のパイプ部材１５を固着させている。
【００５９】
この後、台座１３（図２）の貫通孔１３ａ内に多面状フレーム組立体３１に固着させた配線用兼支持用のパイプ部材１５（図１〜図３）を挿通し、更に、１１個のスピーカ駆動ユニット２０Ａ中の各ホビン２４の一端部２４ａ（図６）に接着剤を充填し、且つ、各ホビン２４の一端部２４ａの上方から１１面の多面状五角形振動板１１をかぶせて、各ホビン２４の一端部２４ａを多面状五角形振動板１１中の各振動板１２の凸状リング部１２ｂ内にそれぞれ接着することで、一つの多面状五角形振動板１１を主体とした１２面の外側多面体内に、多面状五角形振動板１１の外面と略相似に形成した多面状フレーム組立体３１の各正五角形面３１ａに各スピーカ駆動ユニット２０Ａを取り付けた状態で１２面の内側多面体が収納されて実施例１の電気音響変換器１０Ａが完成する。
【００６０】
この際、図６に示したように、多面状五角形振動板１１中で隣り合う振動板１２同士は必要に応じてエッジ部材１４を用いて結合し、また、台座１３（図２）と隣り合う各振動板１２に対してもエッジ部材１４を用いて結合している。
【００６１】
尚、図７中には、ホビン２４を軸中心方向に揺動自在に支持する第１，第２のサスペンション２７，２９の形状を具体的に図示している。
【００６２】
上記のように作製した実施例１の電気音響変換器１０Ａでは、１１個のスピーカ駆動ユニット２０Ａを支持するための多面状フレーム組立体３１が非磁性を有する板材を用いて内部を中空状に形成されているために、電気音響変換器１０Ａの軽量化を図ることができる。
【００６３】
次に、上記のように作製した実施例１の電気音響変換器１０Ａの音響特性について図８〜図１２を用いて説明する。
【００６４】
図８は本発明に係る実施例１の電気音響変換器において、振動板の傾斜面部及び大径円が偏心していない場合に、振動板表面の定在波分布を説明するための図、
図９は本発明に係る実施例１の電気音響変換器において、振動板の傾斜面部及び大径円が偏心している場合に、振動板表面の定在波分布を説明するための図、
図１０は本発明に係る実施例１の電気音響変換器において、一つの振動板による再生音の周波数特性を示した図、
図１１は本発明に係る実施例１の電気音響変換器における合成再生音の周波数特性を示した図、
図１２は本発明に係る実施例１の電気音響変換器の指向特性を示した図である。
【００６５】
図８及び図９は、中心軸Ｏに対して振動板１２の傾斜面部１２ｃ及び大径円１２ｄが偏心していない場合と偏心している場合に振動解析をそれぞれ行った時の振動の様子を示しており、振動解析条件として、実際の磁気回路の磁界の強さ、実効コイル長と巻き数から得られる力を正弦振動としてボイスコイル２５（図６）に加え、例えば１２Ｋ（Ｈｚ）の時の各振動板１２の中心軸方向の変位の分布を実線で示し、且つ、振動板Ａ−Ａ断面形状を二点鎖線で示している。
【００６６】
そして、図８に示したように振動板１２の傾斜面部１２ｃ及び大径円１２ｄが偏心していない場合に定在波は中心軸Ｏを中心にして明らかに対称になっているので、１１個の振動板１２による合成再生音では各定在波が重なり合って強調されてしまうものの、図９に示したように振動板１２の傾斜面部１２ｃ及び大径円１２ｄが偏心している場合に定在波は中心軸Ｏを中心にして明らかに非対称になっているので、１１個の振動板１２による合成再生音では振動板１２上の各定在波による音波の重ね合わせによる強めあい、弱めあいが緩和されるので音響特性が良好となる。
【００６７】
ここで、図１０に示した如く、一つの振動板１２による再生音の周波数特性において、正五角形に形成した振動板１２の一辺の長さを例えば３４ｍｍに設定し、且つ、振動板１２の傾斜面部１２ｃ及び大径円１２ｄの偏心量Ｈ（図５，図９）を正五角形の一つの頂角側に例えば０ｍｍ，  １．５ｍｍ，  ３ｍｍとそれぞれ可変して偏心させた場合に、偏心量Ｈが大きくなるにつれて１５０（Ｈｚ）付近に現れるピークＰのレベル値が低くなると共に、８Ｋ（Ｈｚ）付近に現れるディップＤの深さも偏心させることによってなだらかに小さくなるので、偏心量Ｈが大きい方が各振動板１２により得られる各再生音の周波数レスポンスにおいて生じるディップＤも低減できるので音響特性が良好となる。
【００６８】
そして、振動板１２の傾斜面部１２ｃ及び大径円１２ｄの偏心量Ｈ（図５，図９）を例えば３ｍｍに設定した場合、１１個の振動板１２を結合した電気音響変換器１０Ａにおける合成再生音の周波数特性は図１１に示したようになる。この場合、１１個の振動板１２による合成再生音のピークＰＧが現れる周波数は、一つの振動板１２による再生音のピークＰ（図１０）が現れる１５０（Ｈｚ）付近の周波数よりも一般的に高くなり５００（Ｈｚ）付近になるが、実際には不図示のデジタル・シグナル・プロセッサ（ＤＳＰ）により点線で示したように合成再生音のピークＰＧのレベル値が小さくなるように補正して使用している。
【００６９】
更に、図１２に示したように、１１個の振動板１２を結合した電気音響変換器１０Ａの指向特性は、例えば２Ｋ（Ｈｚ），５Ｋ（Ｈｚ），１０Ｋ（Ｈｚ）のいずれの周波数においてもそれぞれ円形な無指向性となるので、呼吸球として無指向性を持った良好な点音源が得られる。
【００７０】
次に、実施例１の電気音響変換器１０Ａを一部変形させた変形例について図１３を用いて簡略に説明する。
【００７１】
図１３は本発明に係る実施例１の電気音響変換器を一部変形させた変形例の電気音響変換器を説明するために模式的に示した斜視図である。
【００７２】
図１３に示した如く、本発明に係る実施例１の電気音響変換器１０Ａ（図１〜図３）を一部変形させた変形例の電気音響変換器１０Ａ’では、実施例１とは異なって正五角形に形成された振動板１２が一個づつ予め切り離されて１１個用意されており、一つのスピーカハウジング２６をベースにして実施例１と同じ構造形態でスピーカ駆動ユニットを組み立てた後に、このスピーカ駆動ユニットのボビン２４の一端部に正五角形に形成された一つの振動板１２を接着することで、一つの振動板付きスピーカユニット２０Ｂを１１個得ている。
【００７３】
この後、変形例の電気音響変換器１０Ａ’を組み立てる時に、１１個の振動板付きスピーカユニット２０Ｂを実施例１で説明した多面状フレーム組立体３１の外面を形成する１１個の正五角形面３１ａに放射状にそれぞれ取り付けている。
【００７４】
この際、一つの振動板１２の各辺が予め切り離されているので、１１個の振動板１２を略球殻状に結合して一つの多面状五角形振動板１１を形成する場合に、各振動板１２を先に実施例１で図４を用いて説明したと同様の向きに配列させて、隣り合う振動板１２の全ての辺にエッジ部材（１４…図示せず）を取り付けて結合している。
【００７５】
従って、実施例１を一部変形させた変形例の電気音響変換器１０Ａ’でも、一つの多面状五角形振動板１１を主体とした１２面の外側多面体内に、多面状五角形振動板１１の外面と略相似に形成した多面状フレーム組立体３１の各正五角形面３１ａに各振動板付きスピーカユニット２０Ｂを取り付けた状態で１２面の内側多面体が収納されているので、先に図１〜図３を用いて説明した実施例１の電気音響変換器１０Ａと外観形状が同じになり、且つ、音響特性も実施例１と同様に無指向性を持った点音源として得られる。
【００７６】
次に、実施例１の電気音響変換器１０Ａ又は実施例１を一部変形させた変形例の電気音響変換器１０Ａ’に対する応用例について図１４及び図１５を用いて簡略に説明する。
【００７７】
図１４は本発明に係る実施例１の電気音響変換器又は実施例１を一部変形させた変形例の電気音響変換器に対する応用例１を示した斜視図、
図１５は本発明に係る実施例１の電気音響変換器又は実施例１を一部変形させた変形例の電気音響変換器に対する応用例２を示した斜視図である。
【００７８】
図１４に示した如く、本発明に係る実施例１の電気音響変換器１０Ａ又は実施例１を一部変形させた変形例の電気音響変換器１０Ａ’に対する応用例１では、１２面の外側多面体の底面及び天面に振動板を設けずに、これらの底面及び天面に配線用兼支持用のパイプ部材１５をそれぞれ取り付けることで、複数の電気音響変換器１０Ａ又は１０Ａ’をシリーズに連結して使用することができる。
【００７９】
一方、図１５に示した如く、本発明に係る実施例１の電気音響変換器１０Ａ又は実施例１を一部変形させた変形例の電気音響変換器１０Ａ’に対する応用例２では、１２面を有する外側多面体中の複数の面に振動板を設けずに、これら複数の面に配線用兼支持用のパイプ部材１５をそれぞれ取り付けることで、複数の電気音響変換器１０Ａ又は１０Ａ’を適宜な方向に向けて連結することができる。
【実施例２】
【００８０】
図１６は本発明に係る実施例２の電気音響変換器を説明するために模式的に示した斜視図、
図１７は本発明に係る実施例２の電気音響変換器において、隣り合うスピーカ駆動ユニットを組み立てた状態を拡大して示した縦断面図、
図１８は図１７に示した放射状シャフト組立体を示した斜視図である。
【００８１】
図１６に示した如く、本発明に係る実施例２の電気音響変換器１０Ｂでは、１１個のスピーカ駆動ユニット２０Ａを取り付けるための部材として実施例１で用いた多面状フレーム組立体３１（図３，図６，図７）に代えて、複数本のシャフト４３を放射状に結合して組み立てた放射状シャフト組立体４１を用いた点が実施例１に対して異なっており、ここでは実施例１に対して異なる点を中心に説明する。
【００８２】
図１６に示した本発明に係る実施例２の電気音響変換器１０Ｂも、実施例１と同様に、一つの多面状多角形振動板１１を用いることで呼吸球に近い無指向性の点音源が得られるように構成されている。
【００８３】
尚、図１６中に示したスピーカ駆動ユニット２０Ａの各構成部材は、先に実施例１で図６を用いて説明しているので、ここでの詳述を省略し、同じ符号番号を付して図示のみとする。
【００８４】
この実施例２でも、略球殻状に１１面を有して形成された一つの多面状五角形振動板１１の内部には、１１個設けられた振動板１２の内面の中心部位に向かってスピーカ駆動ユニット２０Ａが３次元的に放射状に１１個配置されている。
【００８５】
そして、１１個のスピーカ駆動ユニット２０Ａは、多面状五角形振動板１１の各振動板１２の内面の中心部位にその振動板１２と略直交するようにそれぞれ対向して放射状に配置された１１本のシャフト４３の各一端部と、底面側に対応する一つのシャフト４３の一端部とを結合して合計１２本のシャフト４３が放射状に組み立てられた放射状シャフト組立体４１のうちで１１本のシャフト４３の各他端部に取り付けられている。
【００８６】
図１７及び図１８に示した如く、上記した放射状シャフト組立体４１は、実施例２の要部を構成する部材であり、非磁性を有する樹脂材を用いて多面状五角形振動板１１の外面と略相似でこの外面より小形に形成したシャフト取付用１２面体４２と、このシャフト取付用１２面体４２の各正五角形面４２ａの中心部位にネジ嵌合により放射状に取り付けられ且つアルミ材，真鍮材、樹脂材などの非磁性材を用いた合計１２本のシャフト４３とで構成されている。
【００８７】
尚、上記した放射状シャフト組立体４１は、１２本のシャフト４３の各一端部側をシャフト取付用１２面体４２の各正五角形面４２ａの中心部位に取り付けることで、１２本のシャフト４３を位置精度良好に組み立てられるが、これに限ることなく、シャフト取付用１２面体４２を用いずに１２本のシャフト４３の各一端部側を溶接又は接着などにより放射状に結合させても良い。
【００８８】
より具体的には、各シャフト４３の一端部側に形成した各ネジ部４３ａをシャフト取付用１２面体４２の各正五角形面４２ａの中心部位に形成した各ネジ孔４２ａ１に螺合させることで、各シャフト４３が多面状五角形振動板１１の各正五角形面４２ａに各振動板１２の内面の中心部位に向けて放射状に取り付けられている。
【００８９】
一方、各スピーカ駆動ユニット２０Ａの一部を構成する各ヨーク２１の底面２１ｃの中心部位にネジ孔２１ｃ１がそれぞれ形成されており、各ネジ孔２１ｃ１に各シャフト４３の他端部に形成した各ネジ部４３ｂを螺合させることで、各シャフト４３の他端部に各スピーカ駆動ユニット２０Ａが各振動板１２の内面の中心部位に向けて取り付けられることなる。
【００９０】
この際、図１６及び図１８に示した如く、シャフト取付用１２面体４２に取り付けた１２本のシャフト４３のうちで底面側に対応する一つのシャフト４３の他端部にパイプ取付台４４を取り付けて、このパイプ取付台４４の下面に配線用兼支持用のパイプ部材１５を固着させている。
【００９１】
この後、台座１３（図２）の貫通孔１３ａ内に放射状シャフト組立体４１内のパイプ取付台４４に固着させた配線用兼支持用のパイプ部材１５（図１６，図１８）を挿通し、更に、１１個のスピーカ駆動ユニット２０Ａ中の各ホビン２４の一端部２４ａ（図１７）に接着剤を充填し、且つ、各ホビン２４の一端部２４ａの上方から１１面の多面状五角形振動板１１をかぶせて、各ホビン２４の一端部２４ａを多面状五角形振動板１１中の各振動板１２の凸状リング部１２ｂ内にそれぞれ接着することで、一つの多面状五角形振動板１１を主体とした１２面の外側多面体内に、各スピーカ駆動ユニット２０Ａが放射状シャフト組立体４１の各シャフト４３に取り付けられた状態で収納されて実施例２の電気音響変換器１０Ｂが完成する。
【００９２】
上記のように作製した実施例２の電気音響変換器１０Ｂでも、実施例１と同様に、多面状多角形振動板１１により呼吸球として無指向性を持った良好な点音源が得られ、且つ、各振動板１２の振動により得られる各再生音の周波数レスポンスにおいて生じるディップＤ（図１０）も低減できる。
【００９３】
次に、実施例２の電気音響変換器１０Ｂを一部変形させた変形例について図１９を用いて簡略に説明する。
【００９４】
図１９は本発明に係る実施例２の電気音響変換器を一部変形させた変形例の電気音響変換器を説明するために模式的に示した斜視図である。
【００９５】
図１９に示した如く、本発明に係る実施例２の電気音響変換器１０Ｂ（図１６）を一部変形させた変形例の電気音響変換器１０Ｂ’では、実施例２とは異なって正五角形に形成された振動板１２が一個づつ予め切り離されて１１個用意されており、一つのスピーカハウジング２６をベースにして実施例２と同じ構造形態でスピーカ駆動ユニットを組み立てた後に、このスピーカ駆動ユニットのボビン２４の一端部に正五角形に形成された一つの振動板１２を接着することで、一つの振動板付きスピーカユニット２０Ｂを１１個得ている。
【００９６】
この後、変形例の電気音響変換器１０Ｂ’を組み立てる時に、１１個の振動板付きスピーカユニット２０Ｂを実施例２で説明した放射状シャフト組立体４１を構成する１１個のシャフト４３の他端部に放射状にそれぞれ取り付けている。
【００９７】
この際、一つの振動板１２の各辺が予め切り離されているので、１１個の振動板１２を略球殻状に結合して一つの多面状五角形振動板１１を形成する場合に、各振動板１２を先に実施例１で図４を用いて説明したと同様の向きに配列させて、隣り合う振動板１２の全ての辺にエッジ部材（１４…図示せず）を取り付けて結合している。
【００９８】
従って、実施例２を一部変形させた変形例の電気音響変換器１０Ｂ’でも、一つの多面状五角形振動板１１を主体とした１２面の外側多面体内に、各振動板付きスピーカユニット２０Ｂが放射状シャフト組立体４１の各シャフト４３に取り付けられた状態で収納されているので、先に図１６を用いて説明した実施例２の電気音響変換器１０Ｂと外観形状が同じになり、且つ、音響特性も実施例２と同様に無指向性を持った点音源として得られる。
【００９９】
更に、ここでの図示を省略するものの、実施例２の電気音響変換器１０Ｂ又は実施例２を一部変形させた変形例の電気音響変換器１０Ｂ’でも、先に図１４及び図１５を用いて説明した実施例１と同様に、複数の電気音響変換器１０Ｂ又は１０Ｂ’を配線用兼支持用のパイプ部材１５を介して連結することが可能である。
【図面の簡単な説明】
【０１００】
【図１】本発明に係る実施例１の電気音響変換器の外観形状を正面側から見た斜視図である。
【図２】本発明に係る実施例１の電気音響変換器の外観形状を底面側から見た斜視図である。
【図３】本発明に係る実施例１の電気音響変換器の概略構成を摸式的に示した斜視図である。
【図４】本発明に係る実施例１の電気音響変換器において、一つの多面状五角形振動板を平面的に展開して示した平面図である。
【図５】図４に示した一つの多面状五角形振動板の一部を構成する正五角形の振動板を拡大して示した斜視図である。
【図６】本発明に係る実施例１の電気音響変換器において、隣り合うスピーカ駆動ユニットを組み立てた状態を拡大して示した縦断面図である。
【図７】図６に示した多面状フレーム組立体を示した斜視図である。
【図８】本発明に係る実施例１の電気音響変換器において、振動板の傾斜面部及び大径円が偏心していない場合に、振動板表面の定在波分布を説明するための図である。
【図９】本発明に係る実施例１の電気音響変換器において、振動板の傾斜面部及び大径円が偏心している場合に、振動板表面の定在波分布を説明するための図である。
【図１０】本発明に係る実施例１の電気音響変換器において、一つの振動板による再生音の周波数特性を示した図である。
【図１１】本発明に係る実施例１の電気音響変換器における合成再生音の周波数特性を示した図である。
【図１２】本発明に係る実施例１の電気音響変換器の指向特性を示した図である。
【図１３】本発明に係る実施例１の電気音響変換器を一部変形させた変形例の電気音響変換器を説明するために模式的に示した斜視図である。
【図１４】本発明に係る実施例１の電気音響変換器又は実施例１を一部変形させた変形例の電気音響変換器に対する応用例１を示した斜視図である。
【図１５】本発明に係る実施例１の電気音響変換器又は実施例１を一部変形させた変形例の電気音響変換器に対する応用例２を示した斜視図である。
【図１６】本発明に係る実施例２の電気音響変換器を説明するために模式的に示した斜視図である。
【図１７】本発明に係る実施例２の電気音響変換器において、隣り合うスピーカ駆動ユニットを組み立てた状態を拡大して示した縦断面図である。
【図１８】図１７に示した放射状シャフト組立体を示した斜視図である。
【図１９】本発明に係る実施例２の電気音響変換器を一部変形させた変形例の電気音響変換器を説明するために模式的に示した斜視図である。
【図２０】従来の点音源・無指向性・スピーカシステムの一例を示した斜視図である。
【図２１】従来の点音源・無指向性・スピーカシステムの一例を示したブロック図である。
【図２２】従来の点音源・無指向性・スピーカシステムに使用したスピーカユニットにおける周波数レスポンスのピークとディップの例を摸式的に示した特性図である。
【符号の説明】
【０１０１】
１０Ａ…実施例１の電気音響変換器、
１０Ａ’…実施例１を一部変形させた変形例の電気音響変換器、
１０Ｂ…実施例２の電気音響変換器、
１０Ｂ’…実施例２を一部変形させた変形例の電気音響変換器、
１１…多面状多角形振動板（多面状五角形振動板）、
１２…振動板、１２ａ…凹球面部、１２ｂ…凸状リング部、１２ｃ…傾斜面部、
１２ｄ…大径円、１２ｅ…平坦面部、
１３…台座、１４…エッジ部材、１５…配線用兼支持用のパイプ部材、
２０Ａ…スピーカ駆動ユニット、
２０Ｂ…振動板付きスピーカユニット、
２１…ヨーク、２１ａ…円形凹部、２１ｂ…リング状外壁部、
２１ｃ…底面部、２１ｃ１…ネジ孔、
２２…マグネット、２３…ポールピース、
２４…ボビン、２４ａ…一端部、２４ｂ…他端部、
２５…ボイスコイル、
２６…スピーカハウジング、２６ａ…外周側面部、２６ｂ…下方円形凹部、
２６ｃ…貫通孔、２６ｄ…上方円形凹部、
２７…第１のサスペンション、２８…スペーサ、２９…第２のサスペンション、
３１…多面状フレーム組立体、３１ａ…多角形面（正五角形面）、
４１…放射状シャフト組立体、
４２…シャフト取付用１２面体、４２ａ…正五角形面、４２ａ１…ネジ孔、
４３…シャフト、４３ａ，４３ｂ…ネジ部、４４…パイプ取付台、
Ｄ…ディップ、Ｐ…一つの再生音のピーク、ＰＧ…合成再生音のピーク。
【図１】
2006311349.tif 000003
【図２】
2006311349.tif 000004
【図３】
2006311349.tif 000005
【図４】
2006311349.tif 000006
【図５】
2006311349.tif 000007
【図６】
2006311349.tif 000008
【図７】
2006311349.tif 000009
【図８】
2006311349.tif 000010
【図９】
2006311349.tif 000011
【図１０】
2006311349.tif 000012
【図１１】
2006311349.tif 000013
【図１２】
2006311349.tif 000014
【図１３】
2006311349.tif 000015
【図１４】
2006311349.tif 000016
【図１５】
2006311349.tif 000017
【図１６】
2006311349.tif 000018
【図１７】
2006311349.tif 000019
【図１８】
2006311349.tif 000020
【図１９】
2006311349.tif 000021
【図２０】
2006311349.tif 000022
【図２１】
2006311349.tif 000023
【図２２】
2006311349.tif 000024